(57)【要約】【課題】内外２重になった筒形状の容器において、より保冷、断熱性能の高い容器を提供することを課題とする。【解決手段】内管、外管の２重の円筒から構成される胴部、封止のための底部および蓋部を有し、内管の中心部に内容物を収納することができる容器であって、内管はアルミニウム箔を含む積層体で構成され、外管は発泡体層を含む積層体で構成され、内管と外管との間隙には保冷剤が充填されていることを特徴とする容器である。【選択図】図１
2016188089.tif 000002
【特許請求の範囲】
【請求項１】
内管、外管の２重の円筒から構成される胴部、封止のための底部および蓋部を有し、内管の中心部に内容物を収納することができる容器であって、
内管はアルミニウム箔を含む積層体で構成され、
外管は発泡体層を含む積層体で構成され、
内管と外管との間隙には保冷剤が充填されていることを特徴とする容器。
【発明の詳細な説明】
【技術分野】
【０００１】
本発明は、容器に関するものである。特に２重の円筒から構成される容器に関するものである。
【背景技術】
【０００２】
容器は従来よりさまざまな形態のものがさまざまな用途、分野において使用されている。中でも紙を素材としたものは、包装材料としての使い勝手が良い上に、意匠性向上や内容物についての情報を印刷する際にも印刷適性に優れるなど利点が多い。さらに廃棄に際して埋め立て、焼却する場合にも環境適合的である。
【０００３】
包装材料には幅広い用途展開の結果、さまざまな要求品質がある。単に商品を包むという機能のほかに、商品のイメージアップや内容物の情報表示、また食品分野であれば内容物の保存性を高めたり、鮮度を保持したりといった機能が求められることもある。
【０００４】
一方でこれら保存性を高めたり、鮮度の保持といった目的のためには、冷蔵や冷凍技術が発達してきた。それに付随して、保冷のための包装材料も工夫されるようになってきた。実際に保冷あるいは断熱を目的として断熱剤を含む包装材料や、２重の紙容器などが提案されている。
【０００５】
また保冷剤を用いた包装材料も考案されているが、保冷剤が外側に使われている場合には手で持った場合に冷たく感じたり、凍傷になる恐れもある。また環境によっては、結露によって表面が濡れたりすることがあり、不便であった。
【０００６】
輸送や保管、取り扱いにおいては、外側の保冷材に万一穴が開いたり損傷したりした際には、保冷剤が流れ出る危険もあった。加えてむき出しでは見栄えが良くないことや、印刷などで装飾したりすることが困難という指摘もある。
【０００７】
たとえば特許文献１には２重になった筒形状の紙容器が提案されている。しかしながら、保冷の目的やレベルによっては、これだけでは不十分であり、更なる改良が求められてきた。
【先行技術文献】
【特許文献】
【０００８】
【特許文献１】特開２０１４−２０１３５４号公報
【発明の概要】
【発明が解決しようとする課題】
【０００９】
本発明はこのような状況に鑑みてなされたものであり、２重になった筒形状の容器において、より保冷、断熱性能の高い容器を提供することを課題とする。
【課題を解決するための手段】
【００１０】
上記の課題を解決するための手段として、請求項１に記載の発明は、内管、外管の２重の円筒から構成される胴部、封止のための底部および蓋部を有し、内管の中心部に内容物を収納することができる容器であって、内管はアルミニウム箔を含む積層体で構成され、外管は発泡体層を含む積層体で構成され、内管と外管との間隙には保冷剤が充填されていることを特徴とする容器である。
【発明の効果】
【００１１】
本発明によれば、２重になった筒形状の容器において、より保冷、断熱性能の高い容器を提供することを課題とする。
【図面の簡単な説明】
【００１２】
【図１】図１は本発明に係る容器の一実施形態の構成を示す斜視模式図である。
【図２】図２は本発明に係る容器の一実施形態を示す外観模式図である。
【図３】図３は本発明に係る容器の一実施形態の底部の部分断面模式図である。
【発明を実施するための形態】
【００１３】
以下本発明を実施する形態について、図１〜図３を参照しながら詳細な説明を加える。但し本発明はこの例にのみ限定されるものではない。
【００１４】
図１は本発明に係る容器の一実施形態の構成を示す斜視模式図である。また図２は本発明に係る容器の一実施形態を示す外観模式図である。また図３は本発明に係る容器の一実施形態の底部の部分断面模式図である。
【００１５】
容器（１０）は内側の円筒である内管（１）と外側の円筒である外管（２）の２重構造を持つ胴部（９）と、蓋部（４）および底部（３）から構成される。また、内管と外管の空隙には保冷剤（５）が充填されている。すなわち、内側から内管（１）、保冷剤（５）外管（２）、の層構成を有しており、封止のために胴部（９）の上下に底部（３）、蓋部（４）を有する。
【００１６】
内管（１）には、バリア層を兼ねるアルミニウム箔層（１０）を設ける。アルミニウム箔層（１０）があることによって熱伝導率を上げることができるために、保冷剤（５）による冷却効果が内容物に伝わりやすくなる。内管（１）の材質にはアルミニウム箔層（１０）を含む積層体を用いる。
【００１７】
外管（２）には、外管発泡体層（１３）を含む積層体を用い、断熱性を持った層とする。発泡体層によって熱伝導率は低くなるため、熱を遮断して保冷効果を高めることが可能になる。
【００１８】
これら内管（１）と外管（２）の２重の円筒の間隙（１４）には、保冷剤（５）を充填する。内管（１）の熱伝導率が高いことによって、保冷材（５）の冷却効果は効率的に内容物の冷却に寄与し、外管（２）の断熱効果によって保冷剤（５）の冷却効果を長時間保持することができる。
【００１９】
たとえば、本発明による容器に内容物を入れ、冷蔵庫などの冷却あるいは冷凍設備に保管したあと取り出した場合において、容器内部の温度の変化を緩和することができ、その結果、長時間にわたって冷却効果を維持することができる。
【００２０】
また、外管（２）は断熱効果を有するために、容器（２０）を手で触れたり、持ったりした場合でも冷たく感じることが少なく、結露は抑制される。
【００２１】
さらに、保冷材（５）が外管（２）によって覆われているために、外側から見えることがなく、見た目も美しく容器としての価値を高めることができる。また外管（２）を構成する積層体のうち、外管（２）の外側から見える面に、印刷などで加飾や情報表示することも可能である。
【００２２】
また保冷剤（５）がむき出しになっていないことによって、輸送中あるいは取り扱いに
おいての摩擦や衝撃で、ピンホールが発生したり破袋して保冷剤が漏れ出たりすることを回避することができる。
【００２３】
図３は容器の一実施形態の底部の部分断面模式図が示してある。容器を封止するためには、まず底部を外管底部（３）によって封止を行なう。封止は、たとえば内管（１）の下端に内管底部外カール（８）を設けて、外管（２）の下端を内側に巻き込んで外管底部側内カール（７）を形成して外管底部（３）を挟み込んで固定する形で、底部（１１）形成することができる。これらは内管（１）、外管（２）、外管底部（３）の積層体の表裏外層にシーラント層を設けておくことによって、熱シールによって溶着して形成することが可能である。
【００２４】
シーラント層は、特に材料を限定するものではないがポリオレフィン系樹脂を用いることができる。たとえばポリエチレン樹脂を用いる場合には、ＨＤＰＥ、ＬＤＰＥ、ＭＤＰＥ、ＬＬＤＰＥ等を使用することができ、一部ポリブテンを含んでも良い。
【００２５】
中でもＬＬＤＰＥを好ましく用いることができ、シーラント層の形成においては、押し出し製膜機を用いて層形成することもでき、フィルム形状のものを貼りあわせて使用するのでもかまわない。一般にシーラント層の厚さは３０μｍ〜１００μｍである。
【００２６】
外管（２）を構成する積層体中には外管発泡体層（１３）を含んでおり、断熱性を向上させる機能を有する。また外管底部（３）も積層体からなり、外管底部発泡体層（１２）を設けることができる。
【００２７】
たとえば紙を基材として、発泡体層を積層し、表裏外層にはシーラント層を設けるなどの構成とすることができる。この外管底部発泡体層（１２）により、容器底部（１１）の断熱性能が向上し容器（２０）としての保冷効果に寄与することが可能になる。
【００２８】
発泡体層に用いる材料については特に限定するものではない。発泡体層がポリオレフィン系樹脂で構成され熱シール可能な場合には、発泡体層をシーラント層として兼ねることもできる。
【００２９】
蓋部（４）の封止も底部（１１）と同様に行なうことができる。また蓋部（４）の場合には、内容物の封入、取り出しのために取り出し口（６）を設けることができる。取り出し口（６）の材質、構造、形状、大きさは特に限定するものではなく、必要な封止および開封が実現できれば、さまざまな材質、構造、形状、大きさから適宜選択してよい。
【００３０】
蓋部（４）の材質も外管（２）同様に発泡体層を有する場合には蓋部（４）の断熱性が向上し、容器（２０）としての保冷効果を高めることができる。
【００３１】
たとえば内容物が液体である場合には、取り出し口（６）として螺子構造で開閉可能な飲み口を設けることもでき、その材質、構造、形状、大きさは内容物によって適切なものを選択することができる。
【００３２】
内管（１）の積層体には金属箔であるアルミニウム箔層（１０）を含む。アルミニウム箔層（１０）があることによって、内管の熱伝導性が向上し、内容物に対しての保冷材の冷却効果を高めることができる。積層体の構成は、たとえば紙を基材としてアルミニウム箔を積層し、表裏両面にシーラント層を設ける構成とすることができる。
【００３３】
内管（１）と外管（２）との間の空隙（１４）には、保冷剤（５）を充填する。保冷材（５）には、たとえば水にポリアクリル酸を加えたものを用いることができる。このとき
内管（１）および外管（２）の空隙（５）内側の表面は、シーラント層であるポリオレフィン系樹脂で覆われているために、間隙（１４）内側は防水、耐水構造となっているために好都合である。
【００３４】
あるいは、保冷剤を充填したプラスチック袋を、内管（１）および外管（２）の空隙（５）に挿入する方法を用いても良い。
【００３５】
このように本発明によれば、２重になった筒形状の容器において、より保冷、断熱性能の高い容器を提供することが可能である。
【符号の説明】
【００３６】
１・・・内管
２・・・外管
３・・・外管底部
４・・・蓋部
５・・・保冷剤
６・・・取り出し口
７・・・外管底部側内カール
８・・・内管底部外カール
９・・・胴部
１０・・・アルミニウム箔層
１１・・・底部
１２・・・外管底部発泡体層
１３・・・外管発泡体層
１４・・・空隙
２０・・・容器
【図１】
2016188089.tif 000003
【図２】
2016188089.tif 000004
【図３】
2016188089.tif 000005